(57)【特許請求の範囲】
【請求項１】
光路上に配置された一対のプリズムおよびその内側に配置された一対の楔形複屈折結晶板と、これ等楔形複屈折結晶板間の光路上に配置されかつ磁性ガーネット単結晶により構成されたファラデー回転子と、該ファラデー回転子の各光透過面に接合されたサファイア単結晶板を備え、隣り合う楔形複屈折結晶板の楔部とプリズムの頂角部が光路を挟んで反対側となるように配置される偏波無依存型光アイソレータであって、
一対の上記プリズムがＢＫ７ガラスまたは石英ガラスで構成され、一対の上記楔形複屈折結晶板がＹＶＯ４単結晶で構成されると共に、各サファイア単結晶板の光透過面が楔形複屈折結晶板の非傾斜光透過面と平行でかつサファイア単結晶板のｃ面からオフセットされるように形成されており、
上記楔形複屈折結晶板における楔部の角度（θb）が８．０度以上、１６．０度以下の範囲に設定され、かつ、上記プリズムにおける頂角部の角度（θc）が１０．６度以上、２１．１度以下の範囲に設定されていると共に、上記楔形複屈折結晶板で分離された常光と異常光の光軸がなす角度の２等分線で表される仮想光がサファイア単結晶板に入射した後における仮想光の進む角度（θa3）とサファイア単結晶板におけるｃ面のオフセット角（θoff）が１．７度以上、４．５度以下の範囲から選択された同一角度に設定されていることを特徴とする偏波無依存型光アイソレータ。
【請求項２】
ファラデー回転子を中央にして少なくとも一方のプリズムの外側光路上に配置されたコリメータレンズと当該プリズムとの光路間に、レーザビーム直径の１．５倍以上の孔径を有する高熱伝導性アパーチャーが配置されていることを特徴とする請求項１に記載の偏波無依存型光アイソレータ。
【請求項３】
３７．０ｄＢ以上のピークアイソレーション特性を備え、かつ、ファイバーレーザ用の光アイソレータに適用されることを特徴とする請求項１または２に記載の偏波無依存型光アイソレータ。
【発明の詳細な説明】
【技術分野】
【０００１】
本発明は、磁性ガーネット単結晶により構成されたファラデー回転子と一対の楔形複屈折結晶板を用いた偏波無依存型光アイソレータに係り、特に、磁性ガーネット単結晶の光吸収に起因した温度上昇に伴う特性の劣化や破損を防止できかつ小型、軽量化も図れる偏波無依存型光アイソレータの改良に関するものである。
【背景技術】
【０００２】
光通信に利用されている半導体レーザやレーザ加工等に利用されている固体レーザ等は、レーザ共振器外部の光学面や加工面で反射された光がレーザ素子に戻ってくるとレーザ発振が不安定になる。レーザ発振が不安定になると、光通信の場合は信号ノイズとなり、加工用レーザの場合はレーザ素子が破壊されてしまうことがある。このため、反射戻り光がレーザ素子に戻らないように遮断する光アイソレータが使用されており、半導体レーザモジュールに使用されるような偏波依存型光アイソレータと、光ファイバアンプの前後で用いられるような偏波無依存型光アイソレータとがある。
【０００３】
上記偏波無依存型光アイソレータとしては、図５（Ａ）〜（Ｂ）に示すように、磁性ガーネット単結晶から成るファラデー回転子７と、該ファラデー回転子７の順方向入射側に配置された第１の楔形複屈折結晶板５と、順方向出射側に配置された第２の楔形複屈折結晶板９と、磁性ガーネット単結晶から成るファラデー回転子７を取り囲む永久磁石１３とで構成されたものが知られている。
【０００４】
尚、図５（Ａ）〜（Ｂ）中、符号２はコリメータレンズを示し、符号３はアパーチャー（第１のアパーチャー）を示している。
【０００５】
また、図５（Ａ）は偏波無依存型光アイソレータの順方向に光（レーザ）が進むときの様子を示しており、コリメータレンズ２から出た光（レーザ）は、第１の楔形複屈折結晶板５に入射した後に常光と異常光に分離するが、ファラデー回転子７により偏光が４５度回転させられ、かつ、第２の楔形複屈折結晶板９の光学軸が第１の楔形複屈折結晶板５と４５度ずれているため、第２の楔形複屈折結晶板９においても常光は常光として、異常光は異常光として入射され、共に入射光と平行な光として第２の楔形複屈折結晶板９から出射、すなわち、偏波無依存型光アイソレータから出射される。
【０００６】
一方、逆方向からの光（戻り光）は、図５（Ｂ）に示すように第２の楔形複屈折結晶板９に入射した後に常光と異常光に分離され、分離した常光と異常光は第１の楔形複屈折結晶板５に到達するまで順方向と同じ経路を辿るが、ファラデー回転子にて４５度回転させられた後は、第１の楔形複屈折結晶板５には常光は異常光として、異常光は常光として入射されるため第１の楔形複屈折結晶板５を出た光は平行光にはならず、コリメータレンズ２に結合しないことから光アイソレータとして機能する。
【０００７】
尚、図５（Ｂ）中、符号θbは一対の楔形複屈折結晶板５、９における楔部の角度を示し、符号θdは第１の楔形複屈折結晶板５から出射した戻り光（逆方向からの光）の常光若しくは異常光の光軸と上記楔形複屈折結晶板５に入射する入射光の光軸または該光軸と平行な水平軸とのなす角度を示している。
【０００８】
また、偏波無依存型光アイソレータにおいては、通常、偏光子に、ルチル、ＹＶＯ４、ＬｉＮｂＯ３等の楔形複屈折結晶板を使用し、２枚の楔形複屈折結晶板間に、ファラデー回転子として磁性ガーネット単結晶から成る平板を配置している。このファラデー回転子も偏光を４５度回転させるように結晶の厚みが調整されており、２枚の楔形複屈折結晶板はそれ等光学軸の方位を互いに４５度ずらして配置されている。尚、ファラデー回転子は、１枚の磁性ガーネット単結晶板で構成される場合と複数枚の磁性ガーネット単結晶板を用いて構成される場合がある。
【０００９】
尚、ファラデー回転子を構成する上記磁性ガーネット単結晶は、近赤外波長域、特に光通信で用いられる波長域付近（１．２μｍ〜１．７μｍ）において優れた光学的透明性を示し、数百ｍＷ程度であれば光の吸収に起因する温度上昇も少なく問題は殆ど無い。
【００１０】
しかし、上記波長域よりも短波長域、特にＹＡＧレーザやＹＡＧレーザの代替として注目されているファイバーレーザや光ファイバー増幅器の励起光のような１μｍ前後の波長域では、磁性ガーネット単結晶における光の吸収が大きくなり、数百ｍＷ級のレーザパワーでは無視できない程の温度上昇となる。
【００１１】
そこで、ファラデー回転子を構成する材料として磁性ガーネット単結晶を用いつつ高出力レーザ耐性を有する光アイソレータを実現させるため、磁性ガーネット単結晶の光学面に放熱用サファイア単結晶板を接合させることで温度上昇を抑制した偏波無依存型光アイソレータが特許文献１に記載されている。
【先行技術文献】
【特許文献】
【００１２】
【特許文献１】特開２０１２−２４２５９１号公報
【発明の概要】
【発明が解決しようとする課題】
【００１３】
ところで、光アイソレータ前段に光ファイバー増幅器が配置される場合、光ファイバー増幅器の利得は一般に２０ｄＢ程度であることから、光アイソレータのアイソレーションも２０ｄＢ以上あれば、反射戻り光が１００％全反射した場合であっても光ファイバー増幅器に入射する光と同じパワーとなるので、光ファイバーレーザ内のレーザ素子が破壊されることはなく安定動作が可能となる。
【００１４】
しかし、楔形複屈折結晶板を用いた偏波無依存型光アイソレータにおいては、光ファイバーレーザから出力されるレーザ光の波長１０３０ｎｍ〜１０９０ｎｍに対してアイソレーションの波長依存性があることが知られており、そのアイソレーション特性は特定の波長でピークをもつ凸状に分布する。このため、波長１０３０ｎｍ〜１０９０ｎｍの全範囲において２０ｄＢ以上のアイソレーションとするにはピークアイソレーションを３５ｄＢ以上とすることが望ましい。
【００１５】
そして、特許文献１に記載された偏波無依存型光アイソレータは、入射側の楔形複屈折結晶板を通過した常光と異常光の光軸がなす角度の垂直２等分線で表される仮想光のサファイア単結晶板への入射角度（特許文献１において符号θaと表示）と、磁性ガーネット単結晶の光学面に接合させたサファイア単結晶板のｃ面からのオフセット角度（特許文献１において符号θoffと表示）を特定範囲に設定することで高アイソレーションの光アイソレータを実現している。
【００１６】
但し、特許文献１に記載された偏波無依存型光アイソレータにおいては、図５（Ａ）〜（Ｂ）に示すように入射光が第１の楔形複屈折結晶板５を通過した後、常光と異常光に分離されて拡がりつつ斜め方向に進むため、ファラデー回転子７の直径は入射光のビーム直径分だけでなく常光と異常光の分離距離も含めて十分に大きくする必要がある。このため、ファラデー回転子７とこれを取り囲む永久磁石１３の小型化を図れないことから省コスト化が課題となっている。
【００１７】
更に、特許文献１に記載された偏波無依存型光アイソレータをファイバーレーザ最終段の出力３Ｗ以上の高出力用光アイソレータに使用した場合、従来の出力数百ｍＷの光通信用光アイソレータに使用した場合と比較して光アイソレータに戻る反射戻り光の強度が格段に強いため、入射側光ファイバーのクラッドへ戻り光が例え結合しなくとも、戻り光が光ファイバーのクラッド近傍に照射されるだけで、その照射熱が部材を伝播して入射側光ファイバーの入り口側に配置されている光学系を損傷させる課題も存在した。
【００１８】
本発明はこのような問題点に着目してなされたもので、その課題とするところは、波長１．１μｍ以下、具体的には波長１０３０〜１０９０ｎｍでかつ出力３Ｗ以上の高出力レーザ光を入射してもファラデー回転子の温度上昇並びに反射戻り光に起因した発熱による損傷を防止でき、安定かつ必要十分なアイソレーション特性が得られると共に、省コストで小型かつ軽量な偏波無依存型光アイソレータを提供することにある。
【課題を解決するための手段】
【００１９】
すなわち、本発明に係る第１の発明は、
光路上に配置された一対のプリズムおよびその内側に配置された一対の楔形複屈折結晶板と、これ等楔形複屈折結晶板間の光路上に配置されかつ磁性ガーネット単結晶により構成されたファラデー回転子と、該ファラデー回転子の各光透過面に接合されたサファイア単結晶板を備え、隣り合う楔形複屈折結晶板の楔部とプリズムの頂角部が光路を挟んで反対側となるように配置される偏波無依存型光アイソレータであって、
一対の上記プリズムがＢＫ７ガラスまたは石英ガラスで構成され、一対の上記楔形複屈折結晶板がＹＶＯ４単結晶で構成されると共に、各サファイア単結晶板の光透過面が楔形複屈折結晶板の非傾斜光透過面と平行でかつサファイア単結晶板のｃ面からオフセットされるように形成されており、
上記楔形複屈折結晶板における楔部の角度（θb）が８．０度以上、１６．０度以下の範囲に設定され、かつ、上記プリズムにおける頂角部の角度（θc）が１０．６度以上、２１．１度以下の範囲に設定されていると共に、上記楔形複屈折結晶板で分離された常光と異常光の光軸がなす角度の２等分線で表される仮想光がサファイア単結晶板に入射した後における仮想光の進む角度（θa3）とサファイア単結晶板におけるｃ面のオフセット角（θoff）が１．７度以上、４．５度以下の範囲から選択された同一角度に設定されていることを特徴とするものである。
【００２０】
また、本発明に係る第２の発明は、
第１の発明に記載の偏波無依存型光アイソレータにおいて、
ファラデー回転子を中央にして少なくとも一方のプリズムの外側光路上に配置されたコリメータレンズと当該プリズムとの光路間に、レーザビーム直径の１．５倍以上の孔径を有する高熱伝導性アパーチャーが配置されていることを特徴とし、
第３の発明は、
第１の発明または第２の発明に記載の偏波無依存型光アイソレータにおいて、
３７．０ｄＢ以上のピークアイソレーション特性を備え、かつ、ファイバーレーザ用の光アイソレータに適用されることを特徴とするものである。
【発明の効果】
【００２１】
本発明に係る偏波無依存型光アイソレータは、
光路上に配置された一対のプリズムおよびその内側に配置された一対の楔形複屈折結晶板と、これ等楔形複屈折結晶板間の光路上に配置されかつ磁性ガーネット単結晶により構成されたファラデー回転子と、該ファラデー回転子の各光透過面に接合されたサファイア単結晶板を備え、隣り合う楔形複屈折結晶板の楔部とプリズムの頂角部が光路を挟んで反対側となるように配置される偏波無依存型光アイソレータであって、
一対の上記プリズムがＢＫ７ガラスまたは石英ガラスで構成され、一対の上記楔形複屈折結晶板がＹＶＯ４単結晶で構成されると共に、各サファイア単結晶板の光透過面が楔形複屈折結晶板の非傾斜光透過面と平行でかつサファイア単結晶板のｃ面からオフセットされるように形成されており、
上記楔形複屈折結晶板における楔部の角度（θb）が８．０度以上、１６．０度以下の範囲に設定され、かつ、上記プリズムにおける頂角部の角度（θc）が１０．６度以上、２１．１度以下の範囲に設定されていると共に、上記楔形複屈折結晶板で分離された常光と異常光の光軸がなす角度の２等分線で表される仮想光がサファイア単結晶板に入射した後における仮想光の進む角度（θa3）とサファイア単結晶板におけるｃ面のオフセット角（θoff）が１．７度以上、４．５度以下の範囲から選択された同一角度に設定されていることを特徴としている。
【００２２】
そして、本発明に係る偏波無依存型光アイソレータによれば、光アイソレータに入射される光軸（入射光軸）と光アイソレータから出射される光軸（出射光軸）が略同一軸線上の狭い範囲内に収まり、かつ、楔形複屈折結晶板で分離された常光と異常光がサファイア単結晶板内のｃ面に略垂直となるように入射される構造になるため、光アイソレータに波長１．１μｍ以下で出力３Ｗ以上の高出力レーザ光が入射されてもファラデー回転子の温度上昇並びに反射戻り光に起因した発熱による損傷を防止でき、安定かつ必要十分なアイソレーション特性が得られると共に、省コストで小型かつ軽量な偏波無依存型光アイソレータを提供することが可能となる。
【図面の簡単な説明】
【００２３】
【図１】図１（Ａ）は本発明に係る偏波無依存型光アイソレータの概略構成と順方向に光（レーザ）が進むときの光路を示す説明図、図１（Ｂ）は図１（Ａ）の部分拡大図。
【図２】本発明に係る偏波無依存型光アイソレータの反射戻り光（レーザ）が進むときの光路を示す説明図。
【図３】反射戻り光（レーザ）を遮断するためのアパーチャー（第１のアパーチャー）と第１の楔形複屈折結晶板若しくは第１のプリズムとの距離Ｌ１、および、アパーチャーの孔径とレーザビーム直径Ｄとの関係等を示す説明図。
【図４】本発明に係る偏波無依存型光アイソレータの「アイソレータ入射端からの距離(ｍｍ)」と「入射光と出射光の位置(ｍｍ)」との関係を示すグラフ図。
【図５】図５（Ａ）は従来例に係る偏波無依存型光アイソレータの概略構成と順方向に光（レーザ）が進むときの光路を示す説明図、図５（Ｂ）は反射戻り光（レーザ）が進むときの光路を示す説明図。
【図６】従来例に係る偏波無依存型光アイソレータの「アイソレータ入射端からの距離(ｍｍ)」と「入射光と出射光の位置(ｍｍ)」との関係を示すグラフ図。
【図７】偏波無依存型光アイソレータを構成する「楔形複屈折結晶板の楔角度（楔部の角度）」と「アイソレーションの最高値(ｄＢ)」との関係を示すグラフ図。
【発明を実施するための形態】
【００２４】
以下、本発明の実施の形態について詳細に説明する。
【００２５】
まず、本発明は、波長１．１μｍ以下でかつ出力３Ｗ以上の高出力レーザ光が入射されてもファラデー回転子の温度上昇並びに反射戻り光に起因した発熱による損傷を防止でき、安定して必要十分なアイソレーション特性が得られ、更に、省コストで小型かつ軽量な偏波無依存型光アイソレータを提供することを目的とし、本発明者等が行った以下の「技術的検討」を経て完成されたものである。
【００２６】
「技術的検討」
（１）ファイバーコリメータ（光ファイバーとコリメータレンズ等の複合体）の反射戻り光による破壊の影響を少なくするための楔形複屈折結晶板における楔部の角度（θb）
波長１．１μｍ以下かつ出力３Ｗ以上の高出力レーザの反射戻り光による光学系の損傷を防止するため楔形複屈折結晶板における楔部の角度（θb）を検討した。
【００２７】
磁性ガーネット単結晶から成るファラデー回転子７、第１の楔形複屈折結晶板５、第２の楔形複屈折結晶板９および永久磁石１３とで構成される図５（Ａ）〜（Ｂ）に示した従来例に係る偏波無依存型光アイソレータの場合、反射戻り光はファラデー回転子７で４５度回転するため、第１の楔形複屈折結晶板５に常光は異常光として、異常光は常光として入射されることから、第１の楔形複屈折結晶板５を出た常光および異常光は、第１の楔形複屈折結晶板５に入射する入射光の光軸または該光軸と平行な水平軸に対し、図５（Ｂ）に示す一定の角度（θd）が形成されるように屈折する。このため、反射戻り光が入射側光ファイバー（図示せず）に結合することはないが、反射戻り光の出力が２Ｗ程度になると、入射側光ファイバーの近傍に戻った反射戻り光による発熱の影響で、入射側光ファイバーとコリメータレンズとで構成される入射側ファイバーコリメータが破壊されてしまうことがある。
【００２８】
そこで、出力３Ｗ以上、例えば２０Ｗの高出力レーザの反射戻り光が入射側光ファイバー近傍に戻った場合においても入射側ファイバーコリメータが破壊されないようにするため、楔形複屈折結晶板５から出射した戻り光（逆方向からの光）の常光若しくは異常光の光軸と楔形複屈折結晶板５に入射する入射光（順方向の光）の光軸または該光軸と平行な水平軸とのなす角度、すなわち、屈折角度（θd）は可能な限り大きくすることが望ましい。しかし、屈折角度（θd）はスネルの法則により決定されるため、楔形複屈折結晶板５における楔部の角度（θb）が大きい程、表１に示すように上記屈折角度（θd）は大きくなることから、入射側ファイバーコリメータに与える悪影響を小さくすることが可能となる。
【００２９】
【表１】
0006447825.tif 000002
【００３０】
すなわち、反射戻り光による破壊の影響を少なくするためには、楔形複屈折結晶板５における楔部の角度（θb）が大きい程、好ましいことが確認される。
【００３１】
（２）反射戻り光を遮断するためのアパーチャー（第１のアパーチャー）と第１の楔形複屈折結晶板（第１のプリズム）との距離Ｌ１
良好な品質のレーザ光におけるビーム直径はガウス分布に従い、その直径はピーク強度から強度が１／ｅ2（１３．５％）に落ちたときの幅で一般に定義されるが、入射側の光ファイバーから出射したレーザ光は、光ファイバーの開口数ＮＡに従った拡がり角をもってコリメータレンズに入射し、レンズの焦点距離ｆ（ｍｍ）に見合う下記数式１に示すビーム直径（Ｄ）となる。
ビーム直径（Ｄ）＝２×ＮＡ×ｆ        ・・・（数式１）
【００３２】
反射戻り光をアパーチャー（第１のアパーチャー）で遮断するためにはアパーチャー径を小さくする必要があるが、他方、アパーチャー（第１のアパーチャー）を通過する入射光（順方向の光）を損失なく透過させるにはアパーチャー径は大きい方が望ましく、損失を０．１ｄＢ（透過率９７．７％）に抑えるにはアパーチャー径をガウス分布でいうところの４σに相当する入射光ビーム直径Ｄの更に１．５倍の６σとする必要がある。
【００３３】
従って、図５（Ａ）〜（Ｂ）に示すアパーチャー（第１のアパーチャー）３の直径をビームＤの１．５倍とすると、反射戻り光がアパーチャー（第１のアパーチャー）３で完全に遮られるためには、以下の数式２を満足する必要がある。
Ｌ１＞［２．５Ｄ／２］÷ｔａｎ（θｄ）・・・（数式２）
【００３４】
因みに、上記数式２は、反射戻り光（レーザ）を遮断するためのアパーチャー（第１のアパーチャー）３と第１の楔形複屈折結晶板（プリズムが設けられる場合は第１のプリズム）５との距離Ｌ１、および、アパーチャーの孔径とレーザビーム直径Ｄとの関係等を示す図３の説明図から求められる。
【００３５】
すなわち、Ｌ１×ｔａｎ（θｄ）＞１．５Ｄ／２＋Ｄ／２＝２．５Ｄ／２より、
Ｌ１＞［２．５Ｄ／２］÷ｔａｎ（θｄ）・・・（数式２）
【００３６】
例えば、ビーム直径（Ｄ）が０．６ｍｍの場合、アパーチャー（第１のアパーチャー）３と第１の楔形複屈折結晶板（プリズムが設けられる場合は第１のプリズム）５との距離Ｌ１は、以下の表２中に示す数値以上の距離が必要で、第１の楔形複屈折結晶板における楔部の角度（θb）は可能な限り大きい方が距離Ｌ１を小さくできるため、光アイソレータの小型化および軽量化に有利となる。
【００３７】
【表２】
0006447825.tif 000003
【００３８】
すなわち、光アイソレータの小型化および軽量化を図るには、楔形複屈折結晶板５における楔部の角度（θb）が大きい程、好ましいことが確認される。
【００３９】
（３）ファラデー回転子の大きさを最小とするプリズムにおける頂角部の角度（θc）
前記（１）に記載したように第１の楔形複屈折結晶板５における楔部の角度は、可能な限り大きい方が反射戻り光の入射側光学系に与える影響を小さくすることができる。しかし、図５（Ａ）〜（Ｂ）に示した従来例に係る偏波無依存型光アイソレータにおいては、該光アイソレータ中を進む入射光と反射戻り光の光線図が図６のようになり、第１の楔形複屈折結晶板における楔部の角度（θb）を１０度かつ楔形複屈折結晶板における入射光の位置を０ｍｍとした場合、ファラデー回転子中の光の下限位置は−１．４ｍｍ（図６参照）となることから、ファラデー回転子の大きさは以下の数式３で示される数値が最少となり、これがファラデー回転子の大きさを決めている。
ファラデー回転子の大きさ（ｍｍ）＝１．５×Ｄ＋１．４・・・（数式３）
【００４０】
例えば、ビーム直径Ｄ（４σ）が０．６ｍｍである場合、ファラデー回転子を通過するときの透過率を９７．７％（０．１ｄＢ）以上とするには、０．６ｍｍの１．５倍、つまり０．９ｍｍの大きさが必要であり、数式３を適用するとファラデー回転子の大きさ（ｍｍ）は「０．９＋１．４＝２．３ｍｍ」となる。
【００４１】
前記（１）、（２）に記載の技術的検討からは、第１の楔形複屈折結晶板５における楔部の角度（θb）は、可能な限り大きい方が反射戻り光の入射側光学系に与える影響を小さくできる上、アパーチャー（第１のアパーチャー）と第１の楔形複屈折結晶板（プリズムが設けられる場合は第１のプリズム）との距離Ｌ１が短くなるため小型化に有利であることが確認されたが、その反面、楔形複屈折結晶板５における楔部の角度（θb）が大きい程、ファラデー回転子は大きくなってしまうことが分る。すなわち、楔形複屈折結晶板５における楔部の角度（θb）を大きくし過ぎると、光の屈折による光軸のシフト量（移動量）が大きくなるため、楔形複屈折結晶板やファラデー回転子のサイズを大きくする必要がある分、省コスト化を難しくしている。
【００４２】
そこで、上記楔部の角度（θb）が大きい楔形複屈折結晶板を適用した場合においてもファラデー回転子が大きくならない対策として、図１（Ａ）に示すようにファラデー回転子７を中央にして第１の楔形複屈折結晶板５と第２の楔形複屈折結晶板９の外側光路上に一対のプリズム（第１のプリズム４と第２のプリズム１０）を配置する方法を検討した。すなわち、第１の楔形複屈折結晶板５と第２の楔形複屈折結晶板９の外側光路上に第１のプリズム４と第２のプリズム１０を組み込むことにより、第１の楔形複屈折結晶板５における入射光の位置を０ｍｍとした場合でも、第１の楔形複屈折結晶板５における出射光の位置を０ｍｍとすることができれば、偏波無依存型光アイソレータ中を進む入射光と反射戻り光の光線図は、図４に示すように入射光軸（光アイソレータに入射される光軸）と出射光軸（光アイソレータから出射される光軸）が略同一軸線上の狭い範囲内に収まるようなグラフ図になるため、光の屈折による光軸のシフト量があっても楔形複屈折結晶板やファラデー回転子のサイズを大きくする必要はない。つまり、所定角度（θc）の頂角部を有するプリズムを組み込むことにより、楔形複屈折結晶板５における楔部の角度（θb）が大きくなっても楔形複屈折結晶板やファラデー回転子のサイズを大きくする必要がなくなるため、光アイソレータの小型、軽量化を図ることが可能となる。
【００４３】
例えば、第１の楔形複屈折結晶板５における楔部の角度（θb）が１２度でかつ楔形複屈折結晶板における入射光の位置を０ｍｍとした場合、ファラデー回転子中における光の下限位置は図４に示すように−０．４ｍｍ（図６においては−１．４ｍｍ）となることから、ファラデー回転子の大きさは以下の数式４で示される数値が最少となり、ビーム直径Ｄ（４σ）が０．６ｍｍである場合、ファラデー回転子を通過するときの透過率を９７．７％（０．１ｄＢ）以上とするには、０．６ｍｍの１．５倍、つまり０．９ｍｍの大きさが必要であり、以下に示す数式４を適用するとファラデー回転子の大きさ（ｍｍ）は「０．９＋０．４＝１．３ｍｍ」となる。
ファラデー回転子の大きさ（ｍｍ）＝１．５×Ｄ＋０．４・・・（数式４）
【００４４】
そして、従来例に係る偏波無依存型光アイソレータのファラデー回転子と、第１のプリズム４並びに第２のプリズム１０が組み込まれた偏波無依存型光アイソレータのファラデー回転子の面積を比較すると、従来例に係る偏波無依存型光アイソレータのファラデー回転子が２．３ｍｍ角であったのに対し、第１のプリズム４並びに第２のプリズム１０が組み込まれた偏波無依存型光アイソレータのファラデー回転子では１．３ｍｍ角となり、これを面積比で比較すると従来比で１／３まで小さくできることから、適正な角度（θc）の頂角部を有するプリズムを組み込むことは、ファラデー回転子のサイズを小さくできかつ省コスト化に有利であることが確認できる。
【００４５】
入射光軸（光アイソレータに入射される光軸）と出射光軸（光アイソレータから出射される光軸）のずれを０ｍｍにすることができる第１の楔形複屈折結晶板５における楔部の角度（θb）と、第１のプリズム４における頂角部の角度（θc）の例を表３に示す。
【００４６】
【表３】
0006447825.tif 000004
【００４７】
（４）高い消光比とするためのサファイア単結晶板のｃ面のオフセット角度（θoff）
上述したようにファラデー回転子に磁性ガーネット単結晶を用いつつ高出力レーザ耐性を有する光アイソレータを実現させるため、磁性ガーネット単結晶の光学面に放熱用サファイア単結晶板を接合させ、かつ、サファイア単結晶板のｃ面をオフセットさせることによってアイソレーションの劣化を防止する方法が特許文献１に示されている。
【００４８】
一方、前記（３）に記載の技術的検討から、第１の楔形複屈折結晶板５における楔部の角度（θb）と第１のプリズム４における頂角部の角度（θc）が決まると、入射側の楔形複屈折結晶板で分離された常光と異常光のサファイア単結晶板中の進路が定まるが、上記楔部の角度（θb）ごとにサファイア単結晶板中における常光の光軸角度（θa1）、異常光の光軸角度（θa2）および常光と異常光の光軸がなす角度の２等分線で表される仮想光の光軸がサファイア単結晶板中を進む角度（θa3）の数値が変わることから、高い消光比のファラデー回転子とするためには、サファイア単結晶板におけるｃ面のオフセット角度（θoff）を上記仮想光の光軸がサファイア単結晶板中を進む角度（θa3）と一致させ、これにより常光と異常光がサファイア単結晶板のｃ面へ略垂直に入射されるようにしてサファイア単結晶基板における複屈折の影響を受け難くすることが望ましい。
【００４９】
尚、上記仮想光の光軸がサファイア単結晶板中を進む角度（θa3）と、常光の光軸角度（θa1）、および、異常光の光軸角度（θa2）は、数式５に示す関係となる。
θa3＝（θa1＋θa2）／２      ・・・（数式５）
【００５０】
【表４】
0006447825.tif 000005
【００５１】
すなわち、高い消光比とするためには、楔形複屈折結晶板で分離された常光と異常光の光軸がなす角度の２等分線で表される仮想光がサファイア単結晶板に入射した後における仮想光の進む角度（θa3）とサファイア単結晶板におけるｃ面のオフセット角（θoff）を同一角度に設定することが好ましいことが確認される。
【００５２】
（５）高いピークアイソレーションとするための楔形複屈折結晶板における楔角度（楔部の角度θb）
次に、前記（４）で検討された常光の光軸角度（θa1）、異常光の光軸角度（θa2）および仮想光の光軸がサファイア単結晶板中を進む角度（θa3）の関係を示す上記数式５に基づいて光アイソレータのピークアイソレーションの推定が可能となることからその技術的検討を行った。
【００５３】
常光と異常光の光軸がなす角度の２等分線で表される仮想光の光軸がサファイア単結晶板中を進む角度（θa3）とサファイア単結晶板におけるｃ面のオフセット角度（θoff）とが一致する高い消光比とする条件において光アイソレータを構成した場合、そのピークアイソレーションは以下の数式６を適用することで求めることができる。
ピークアイソレーション＝
−１０ｌｏｇ(１−ｃｏｓ［(θa2−θa1)／２］)・・・（数式６）
【００５４】
そして、上記楔形複屈折結晶板における楔部の角度（θb）を４度から２４度まで変化させた場合のピークアイソレーションを上記数式６から求めると、表５と図７のグラフ図に示されているように４７．３ｄＢから３４．９ｄＢの範囲となる。
【００５５】
ピークアイソレーションは上述したように３５ｄＢ以上であることが望ましいことから、表５に示す楔形複屈折結晶板における楔部の角度（θb）は２０度を超えない範囲が好適であることが確認され、この結果、表４の角度（θb）＝１６．０°欄から上記仮想光の光軸がサファイア単結晶板中を進む角度（θa3）とサファイア単結晶板におけるｃ面のオフセット角度（θoff）は「４．５°以下」とすることが好ましい。また、上記仮想光の光軸がサファイア単結晶板中を進む角度（θa3）とオフセット角度（θoff）の下限値は、後述する比較例１により楔形複屈折結晶板における楔部の角度（θb）が４．０°を超える範囲が好適であることが確認されていることから、表４の角度（θb）＝８．０°欄から「１．７°」が好ましい。
【００５６】
【表５】
0006447825.tif 000006
【００５７】
すなわち、高いピークアイソレーションとするための楔形複屈折結晶板における楔角度（楔部の角度θb）は８．０度以上、１６．０度以下が好ましく、上記楔角度の条件と表３の角度（θc）欄から、プリズムにおける頂角部の角度（θc）は１０．６度以上、２１．１度以下が好ましく、更に、常光と異常光の光軸がなす角度の２等分線で表される仮想光の光軸がサファイア単結晶板中を進む角度（θa3）とサファイア単結晶板におけるｃ面のオフセット角度（θoff）は上述したように１．７度以上、４．５度以下の範囲から選択された同一角度に設定することが好ましい。
【実施例】
【００５８】
以下、本発明の実施例について比較例も挙げて具体的に説明する。
【００５９】
［実施例１］
ファラデー回転子を構成する磁性ガーネット単結晶７（図１参照）は、液相エピタキシャル法で育成したもので、ファラデー回転角が４５度となるように研磨により厚みが調整されている。
【００６０】
楔形複屈折結晶板としては、楔角度（楔部の角度θb）が１２度のＹＶＯ４単結晶（ＹＡＧレーザの波長１．０６μｍの光に対し常光の屈折率ｎｏ＝１．９６、異常光の屈折率ｎｅ＝２．１６）を選定し、ファラデー回転子の大きさを最小とするための技術的検討から求めたプリズム角度（頂角部における角度θc）が１５．８度のＢＫ７を組み合わせると、楔形複屈折結晶板で分離された常光はサファイア単結晶板中を角度θa1が１．９度、異常光は角度θa2が４．２度で進む。これ等の光軸がなす角度の２等分線で表される仮想光のサファイア単結晶板中への入射角θa3［図１(Ｂ)参照］が３．１度となることから、サファイア単結晶のｃ面の角度θoffを入射角θa3と同一の３．１度に調整した磁性ガーネット結晶とサファイア単結晶板からなるファラデー回転子を作り、それを組み込んで実施例１に係る光アイソレータコアを製作した。
【００６１】
尚、磁性ガーネット単結晶７は１個でファラデー回転角が１５度となるように研磨したものであって、それらは間を置いて３個配置されかつ３個の各磁性ガーネット単結晶における光透過面には上記サファイア単結晶板が接合されており、３個のファラデー回転角の合計が４５度となっている。３個に分割することで高出力レーザ入射時に発生する発熱を従来の１か所から３か所に分散し、これにより放熱性が高められることで高出力レーザ入射の熱からファラデー回転子の破壊を防止する工夫がなされている。
【００６２】
実施例１に係る光アイソレータコアは、図１に示す部品（符号４で示す第１のプリズムから符号１１で示すビームシフターおよび符号１３で示す永久磁石）が組み立てられたものであり、光ファイバー１、コリメータレンズ２およびアパーチャー３、１２は含んでいない。
【００６３】
この光アイソレータコアにビーム直径Ｄが０．６ｍｍで波長１０６４ｎｍかつ出力１ｍＷのレーザを照射したところ、実測値で挿入損失が０．５ｄＢの特性（表６参照）が得られた。一般に、磁性ガーネット単結晶の損失は０．５ｄＢ前後であり、前記技術的検討に従うことにより入射光はアイソレータコア中を損失無く進むことが確認されている。また、この光アイソレータコアにビーム直径Ｄが０．６ｍｍで波長１０６４ｎｍかつ出力２０Ｗのレーザを照射したところ挿入損失は１．５ｄＢとなる特性が得られた。
【００６４】
磁性ガーネット単結晶をファラデー回転子とする図５（Ａ）〜（Ｂ）に示す従来の光アイソレータコアでは破壊を免れない程のレーザ出力であったにもかかわらず、実施例１に係る光アイソレータコアであれば正常に動作することを確認している。また、出射ビームの真円度が９８％と高く、外形の全長が２０ｍｍと小型化も実現できている。
【００６５】
【表６】
0006447825.tif 000007
【００６６】
次に、上記光アイソレータコアに、図１に示す光ファイバー１、コリメータレンズ２、アパーチャー３からなるファイバーコリメータと出射側のアパーチャー１２を組み込み、ピグテイル型光アイソレータを作製した。
【００６７】
光ファイバーの種類に制約はなく、標準的な単一モードファイバーやラージモードエリア（ＬＭＡ）ファイバー等の各種光ファイバーを適用できるが、本実施例１においては開口数が０．０７、コア直径が２５μｍ、クラッド直径が２５０μｍのＬＭＡファイバーを用いた。ＬＭＡファイバーと焦点距離４．３ｍｍの非球面レンズとを組み合わせてビーム直径Ｄが０．６ｍｍとなるように調整してファイバーコリメータを製作し、前記光アイソレータコアにこのファイバーコリメータを固着して組み立てた。
【００６８】
ファイバーコリメータのアパーチャーと出射側アパーチャーのアパーチャー径はビーム直径の１．５倍である０．９ｍｍとした。尚、固着には、光学部品用の接着剤を用いたが、ねじ止め、はんだ付け、レーザ溶接等の方法も可能である。
【００６９】
そして、前記ファイバーコリメータから波長１０６４ｎｍかつ出力１ｍＷのレーザを照射したところ、実測値では挿入損失が０．５ｄＢであり、同じく出力２０Ｗのレーザ照射では挿入損失が１．５ｄＢであった。
【００７０】
また、ファイバーコリメータを固着した側と反対方向の出射側から、出力１ｍＷのレーザ光と出力２０Ｗのレーザ光を照射し、アイソレーションを評価したところ、どちらの場合も３７ｄＢであり、必要かつ十分である３５ｄＢ以上のアイソレーション特性が確認されている。
【００７１】
更に、本実施例１に係るピグテイル型光アイソレータでは、全長７０ｍｍの小型化を実現できた。具体的に説明すると、光アイソレータコア長さが２０ｍｍ、第１のアパーチャー３と第１のプリズム４との距離が２０ｍｍ、図１に示す光ファイバー１、コリメータレンズ２、第１のアパーチャー３から成るファイバーコリメータ長さが３０ｍｍの合計長さで構成されている。
【００７２】
【表７】
0006447825.tif 000008
【００７３】
更に、入射側にのみファイバーコリメータを付けたピグテイル型光アイソレータの第２のアパーチャー１２に替えて、出射側にも入射側と同じファイバーコリメータを設置することで、インライン型光アイソレータを組み立て、評価した。
【００７４】
インライン型光アイソレータとは、光アイソレータコアを中心とし、そのレーザ入射側と出射側にアパーチャー、コリメータレンズおよび光ファイバーからなるファイバーコリメータを配置して成るもので、光ファイバーとコリメータレンズを通して光アイソレータコアへ入射した光を出射側に配置した光ファイバーから取り出すように構成したものである。
【００７５】
インライン型光アイソレータでは、光ファイバーから入射した光を再び光ファイバーに集光して出射させることから、前記光ファイバーコアや入射側にのみ光ファイバーを付けた光アイソレータと較べて、出射側光ファイバーにレーザ光を結合する際に失うレーザ出力分だけ挿入損失が悪化する。このため、ＬＭＡファイバーとレンズの組み合わせから成るファイバーコリメータにおける結合損失の実測値「０．５ｄＢ」が損失として上乗せされることになる。本実施例に係るインライン型光アイソレータの挿入損失は、前記損失を加えた分だけ悪化していることが表８の実測結果から確認できており、インライン型光アイソレータとしては従来品と比較しても全く問題がないことを確認している。
【００７６】
尚、インライン型光アイソレータの全長は１００ｍｍであり、その内訳は、光アイソレータコア長さが２０ｍｍ、第１のアパーチャーと第１のプリズムとの距離が２０ｍｍ、図１に示す光ファイバー１、コリメータレンズ２、アパーチャー３から成る入射側ファイバーコリメータ長さが３０ｍｍ、かつ、同出射側ファイバーコリメータ長さ３０ｍｍの合計長さで構成されており、小型化が実現されている。
【００７７】
【表８】
0006447825.tif 000009
【００７８】
［比較例１］
楔形複屈折結晶板として楔角度（楔部の角度θb）が４．０度のＹＶＯ４単結晶、ファラデー回転子の大きさを最小とするプリズム角度（頂角部における角度θc）が５．４度のＢＫ７ガラス、および、サファイア単結晶板におけるｃ面のオフセット角度（θoff）をサファイア単結晶板中への仮想光の入射角θa3と同一の１．１度に調整した磁性ガーネット結晶とサファイア単結晶板からなるファラデー回転子が適用された点を除き実施例１と同様にして、入射側にのみファイバーコリメータが付けられた比較例１に係るピグテイル型光アイソレータを組み立てた。
【００７９】
比較例１に係るピグテイル型光アイソレータの評価結果を以下の表９に示す。
【００８０】
【表９】
0006447825.tif 000010
【００８１】
実施例１に係るピグテイル型光アイソレータと較べた場合、挿入損失は同一の特性が得られており良好で、アイソレーションは４３ｄＢに向上していることが確認された。高いアイソレーションは光アイソレータにとって重要な要素ではある一方、ピグテイル型光アイソレータの全長が１１０ｍｍとなっており、小型かつ軽量化を満足するものではなかった。
【００８２】
尚、比較例１に係るピグテイル型光アイソレータの全長（１１０ｍｍ）を説明すると、光アイソレータコア長さが２０ｍｍ、第１のアパーチャーと第１のプリズムとの距離が６０ｍｍ、光ファイバー１、コリメータレンズ２、第１のアパーチャー３から成るファイバーコリメータ長さが３０ｍｍの合計長さで構成されている。
【００８３】
［比較例２］
楔形複屈折結晶板として楔角度（楔部の角度θb）が２０．０度のＹＶＯ４単結晶、ファラデー回転子の大きさを最小とするプリズム角度（頂角部における角度θc）が２６．３度のＢＫ７ガラス、および、サファイア単結晶板におけるｃ面のオフセット角度（θoff）をサファイア単結晶板中への仮想光の入射角θa3と同一の５．２度に調整した磁性ガーネット結晶とサファイア単結晶板からなるファラデー回転子が適用された点を除き実施例１と同様にして、入射側にのみファイバーコリメータが付けられた比較例２に係るピグテイル型光アイソレータを組み立てた。
【００８４】
比較例２に係るピグテイル型光アイソレータの評価結果を以下の表１０に示す。
【００８５】
【表１０】
0006447825.tif 000011
【００８６】
実施例１に係るピグテイル型光アイソレータと較べた場合、挿入損失は同一の特性が得られており良好で、アイソレーションは２９ｄＢに低下したことが確認された。
【００８７】
楔形複屈折結晶板を用いた偏波無依存型光アイソレータにおいては、光ファイバーレーザから出力する波長１０３０ｎｍ〜１０９０ｎｍのレーザ光に対しアイソレーションの波長依存性があることが知られており、そのアイソレーション特性は特定波長でピークをもつ凸状に分布している。そして、波長１０３０ｎｍ〜１０９０ｎｍの全範囲で２０ｄＢ以上のアイソレーションとするためには、上述したようにピークアイソレーションを３５ｄＢ以上にする必要があり、比較例２に係るピグテイル型光アイソレータの「２９ｄＢ」というピークアイソレーションの場合、安定かつ十分なアイソレーション特性が実現されていないことから、ピグテイル型光アイソレータの全長が６５ｍｍと小型かつ軽量化を満足したとしても意味がないことである。
【００８８】
尚、比較例２に係るピグテイル型光アイソレータの全長（６５ｍｍ）を説明すると、光アイソレータコア長さが２０ｍｍ、第１のアパーチャーと第１のプリズムとの距離が１５ｍｍ、光ファイバー１、コリメータレンズ２、第１のアパーチャー３から成るファイバーコリメータ長さが３０ｍｍの合計長さで構成されている。
【産業上の利用可能性】
【００８９】
本発明に係る偏波無依存型光アイソレータによれば小型化と低コスト化を両立することができる上、１．１μｍ以下の波長で出力３Ｗ以上の高出力レーザ光が入射されても光アイソレーション特性の低下が少ないことから光通信や光計測およびレーザ加工等における高出力レーザ用の光アイソレータとして広く利用される産業上の利用可能性を有している。
【符号の説明】
【００９０】
１  光ファイバー
２  コリメータレンズ
３  第１のアパーチャー
４  第１のプリズム
５  第１の楔形複屈折結晶板
６  第１のサファイア単結晶板
７  磁性ガーネット単結晶（ファラデー回転子）
８  第２のサファイア単結晶板
９  第２の楔形複屈折結晶板
１０  第２のプリズム
１１  ビームシフター
１２  第２のアパーチャー
１３  永久磁石
１４  サファイア単結晶板のＣ面
１００  楔形複屈折結晶板の非傾斜光透過面
２００  サファイア単結晶板の光透過面
３００  常光と異常光の光軸がなす角度の２等分線で表される仮想光の光軸
Ｌ１  第１のアパーチャーと第１の楔形複屈折結晶板との距離
θa1  常光の光軸がサファイア単結晶板中を進む角度
θa2  異常光の光軸がサファイア単結晶板中を進む角度
θa3  常光と異常光の光軸がなす角度の２等分線で表される仮想光の光軸がサファイア単結晶板中を進む角度
θb  楔形複屈折結晶板における楔角度（楔部の角度）
θc  プリズムにおける頂角部の角度
θd  戻り光の常光若しくは異常光の光軸と楔形複屈折結晶板に入射する入射光の光軸または該光軸と平行な水平軸とのなす角度（屈折角度）
θoff  サファイア単結晶板のＣ面のオフセット角度
【図１】
0006447825.tif 000012
【図２】
0006447825.tif 000013
【図３】
0006447825.tif 000014
【図４】
0006447825.tif 000015
【図５】
0006447825.tif 000016
【図６】
0006447825.tif 000017
【図７】
0006447825.tif 000018